(57)【要約】【課題】  既登録の携帯電話機と無線接続し、この無線接続を介してハンズフリー機能を実現する、登録制のハンズフリー装置において、登録作業の繁雑性を低減する。【解決手段】    登録制のハンズフリー装置が、入力装置に対するユーザの個別の携帯電話に依存しないボタン押下操作を受けると、無線通信の送信電力を低減することで通信可能範囲を狭くし、またその通信可能範囲に入った未登録携帯電話機とのハンズフリー機能のための無線接続を許可するため、その未登録携帯電話について仮登録番号を登録する。【選択図】 図４
2005286827.tif 000002
【特許請求の範囲】
【請求項１】
無線通信可能範囲内に近づいた既登録の携帯電話機と無線接続し、この無線接続を介してハンズフリー機能を実現するハンズフリー装置であって、
個別の携帯電話に依存しないユーザの操作を受け付ける入力装置と、
前記入力装置が前記ユーザの操作を受け付けることに基づいて、無線通信のための出力電力を減少させる電力制御手段と、
前記入力装置が前記ユーザの操作を受け付けることに基づいて、未登録携帯電話機との前記ハンズフリー機能のための無線接続を許可する許可手段と、を備えたハンズフリー装置。
【請求項２】
前記入力装置が前記ユーザの操作を受け付けることに基づいて、未登録携帯電話機との前記ハンズフリー機能のための無線接続を、他の既登録の携帯電話機との前記ハンズフリー機能のための無線接続よりも優先的なものとする優先制御手段を備えたことを特徴とする請求項１に記載のハンズフリー装置。
【請求項３】
前記許可手段は、無線通信可能範囲内に近づいた未登録携帯電話機を登録することで前記無線接続を許可し、
前記優先制御手段は、前記許可手段が登録した携帯電話機を、他の既登録の携帯電話機よりも優先的な無線接続対象とすることを特徴とする請求項２に記載のハンズフリー装置。
【請求項４】
前記許可手段は、未登録携帯電話機のうち、前記入力装置が前記ユーザの操作を受け付けて以降最初に無線通信可能範囲内に近づいた未登録携帯電話機のみを登録することを特徴とする請求項３に記載のハンズフリー装置。
【請求項５】
前記電力制御手段は、前記許可手段が未登録携帯電話機を登録したことに基づき、減少させていた無線通信のための出力電力を増大させることを特徴とする請求項３または４に記載のハンズフリー装置。
【請求項６】
車両に搭載されて用いられるものであり、
当該車両のイグニッションがオフとなることに基づいて、前記許可手段が許可した携帯電話機との前記ハンズフリー機能のための無線接続を禁止することを特徴とする請求項１ないし５のいずれか１つに記載のハンズフリー装置。
【請求項７】
車両に搭載されて用いられるものであり、
当該車両のイグニッションがオフとなることに基づいて、前記許可手段が行った携帯電話機の登録を削除することを特徴とする請求項１ないし５のいずれか１つに記載のハンズフリー装置。
【請求項８】
前記入力装置は、前記ユーザの押下操作を受け付けるボタンを有しており、
前記許可手段は、前記入力装置がユーザの前記ボタンの押下操作を受けている間、未登録携帯電話機との前記ハンズフリー機能のための無線接続を許可することを特徴とする請求項１ないし７のいずれか１つに記載のハンズフリー装置。
【請求項９】
前記入力装置は、前記ユーザの押下操作を受け付けるボタンを有しており、
前記電力制御手段は、前記入力装置がユーザの前記ボタンの押下操作を受けている間、無線通信のための出力電力を減少させることを特徴とする請求項１ないし８のいずれか１つに記載のハンズフリー装置。
【請求項１０】
既登録の携帯電話機と無線接続し、この無線接続を介してハンズフリー機能を実現するハンズフリー装置であって、
ユーザの操作を受け付ける入力装置と、
前記入力装置がユーザの操作を受け付けることに基づいて、未登録携帯電話機との前記ハンズフリー機能のための無線接続を許可する許可手段と、を備えた車載ハンズフリー装置。
【請求項１１】
第１の距離内に近づいているあらかじめ登録された携帯電話機と無線接続し、この無線接続を介してハンズフリー機能を実現するハンズフリー装置であって、
未登録携帯電話が前記第１の距離より短い第２の距離内に近づいたことに基づいて、前記未登録携帯電話機との前記ハンズフリー機能のための無線接続を許可する許可手段を備えた車載ハンズフリー装置。
【請求項１２】
前記許可手段が無線接続を許可した対象の携帯電話機との無線接続が切れたときに、当該携帯電話機との前記ハンズフリー機能のための無線接続を禁止することを特徴とする請求項１ないし５のいずれか１つに記載のハンズフリー装置。
【発明の詳細な説明】
【技術分野】
【０００１】
本発明は、携帯電話機と無線接続し、この無線接続を介してハンズフリー機能を実現するハンズフリー装置に関する。
【背景技術】
【０００２】
従来、Ｂｌｕｅｔｏｏｔｈ等の無線通信技術を用いて携帯電話機と無線接続し、この無線接続を介してハンズフリー機能を実現するハンズフリー装置がある。ハンズフリー機能とは、接続の対象となる携帯電話機と電話通信する他の電話端末からの受話音声信号を、当該接続を介して受け取って音声として出力し、またユーザが発する音声に基づく音声信号を、当該他の電話端末宛の送話音声信号として、当該接続を介して当該携帯電話機に送信する機能をいう。
【０００３】
このようなハンズフリー装置を、例えば車両内に設置すれば、ユーザは、携帯電話をハンズフリー装置に接続することで、この携帯電話を手に取ることなく、ハンズフリー装置を用いて電話通信相手と通話することができる。
【発明の開示】
【発明が解決しようとする課題】
【０００４】
このような無線接続を用いたハンズフリー装置の中には、事前にハンズフリー装置にその識別情報が登録された携帯電話機としか無線接続をしないような、登録制のハンズフリー装置がある。
【０００５】
このような登録制のハンズフリー装置を、あるユーザが日常的に使用する車両に設置する場合は、そのユーザの携帯電話をあらかじめ当該ハンズフリー装置に一度登録しておけば、その後は登録の操作を行うことなく、その携帯電話を当該ハンズフリー装置に無線接続させることができる。
【０００６】
しかし、多数のほとんど利用することのない車両に登録制のハンズフリー装置が搭載されている場合、新たな車両に搭乗する度に、そのハンズフリー装置に自分の携帯電話を登録し、その車両の利用が終わるときにその登録を削除する必要がある。
【０００７】
このような場合の具体例としては、多数ある社有車のそれぞれにハンズフリー装置が搭載され、あるユーザが、これら社有車をよく利用するが、多数ある社有車のうちどれを利用するかが毎回異なるような場合が考えられる。
【０００８】
このように、登録制のハンズフリー装置を用いる場合、使用状況によっては登録作業、登録削除作業が煩雑となり得る。
【０００９】
本発明は上記点に鑑み、登録制のハンズフリー装置、すなわち、既登録の携帯電話機と無線接続し、この無線接続を介してハンズフリー機能を実現するハンズフリー装置において、登録作業の繁雑性を低減することを目的とする。
【課題を解決するための手段】
【００１０】
上記目的を達成するための本発明の特徴は、無線通信可能範囲内に近づいた既登録の携帯電話機と無線接続し、この無線接続を介してハンズフリー機能を実現するハンズフリー装置が、個別の携帯電話に依存しないユーザの操作を受け付ける入力装置を有し、この入力装置がユーザの操作を受け付けることに基づいて、無線通信のための出力電力を減少させ、さらに未登録携帯電話機とのハンズフリー機能のための無線接続を許可することである。
【００１１】
このようになっていることで、ハンズフリー装置において、入力装置に対してユーザが個別の携帯電話に依存しない操作を行うと、無線通信のための出力電力が減少し、未登録携帯電話機との前記ハンズフリー機能のための無線接続が許可される。したがって、出力電力が減少したことに伴って狭くなった無線通信可能範囲内に未登録携帯電話機が近づくと、この電話機との無線接続が行われるようになる。その結果、既登録の携帯電話機と無線接続し、この無線接続を介してハンズフリー機能を実現するハンズフリー装置において、個別の携帯電話に依存しない操作によって、未登録電話との無線接続が確立されるので、登録作業の繁雑性が低減される。
【００１２】
なお、「無線接続を介したハンズフリー機能」とは、「無線接続の対象となる携帯電話機と電話通信する他の電話端末からの受話音声信号を、当該無線接続を介して受け取って音声として出力し、またユーザが発する音声に基づく音声信号を、当該他の電話端末宛の送話音声信号として、当該無線接続を介して当該携帯電話機に送信する機能」をいう。
【００１３】
また、「既登録の携帯電話機」とは、「あらかじめその識別情報がハンズフリー装置の記憶媒体に記憶された携帯電話機」をいう。
【００１４】
また、当該ハンズフリー装置は、記入力装置が前記ユーザの操作を受け付けることに基づいて、未登録携帯電話機との前記ハンズフリー機能のための無線接続を、他の既登録の携帯電話機との前記ハンズフリー機能のための無線接続よりも優先的なものとしてもよい。
【００１５】
また、当該ハンズフリー装置は、無線通信可能範囲内に近づいた未登録携帯電話機を登録することによって上記許可を実現し、登録した携帯電話機を、他の既登録の携帯電話機よりも優先的な無線接続対象とするようになっていてもよい。
【００１６】
また、当該ハンズフリー装置は、未登録携帯電話機のうち、入力装置がユーザの操作を受け付けて以降最初に無線通信可能範囲内に近づいた未登録携帯電話機のみを登録するようになっていてもよい。
【００１７】
また、当該ハンズフリー装置は、未登録携帯電話機が登録されたことに基づき、減少させていた無線通信のための出力電力を増大させるようになっていてもよい。
【００１８】
また、当該ハンズフリー装置は、車両に搭載されて用いられるものであり、当該車両のイグニッションがオフとなることに基づいて、許可した携帯電話機とのハンズフリー機能のための無線接続を禁止するようになっていてもよい。
【００１９】
また、また、当該ハンズフリー装置は、車両に搭載されて用いられるものであり、当該車両のイグニッションがオフとなることに基づいて、携帯電話機の登録を削除するようになっていてもよい。
【００２０】
このようになっていることで、登録削除のための手間が低減される。
【００２１】
また、当該ハンズフリー装置の入力装置は、ユーザの押下操作を受け付けるボタンを有しており、当該ハンズフリー装置は、入力装置がユーザのボタンの押下操作を受けている間、未登録携帯電話機とのハンズフリー機能のための無線接続を許可するようになっていてもよい。
【００２２】
また、当該ハンズフリー装置の入力装置は、ユーザの押下操作を受け付けるボタンを有しており、当該ハンズフリー装置は、入力装置がユーザの前記ボタンの押下操作を受けている間、無線通信のための出力電力を減少させるようになっていてもよい。
【００２３】
また、当該ハンズフリー装置は、許可手段が無線接続を許可した対象の携帯電話機との無線接続が切れたときに、当該携帯電話機とのハンズフリー機能のための無線接続を禁止するようになっていてもよい。
【００２４】
また、本発明の第２の特徴は、既登録の携帯電話機と無線接続し、この無線接続を介してハンズフリー機能を実現するハンズフリー装置が、ユーザの操作を受け付ける入力装置を有し、入力装置がユーザの操作を受け付けることに基づいて、未登録携帯電話機とのハンズフリー機能のための無線接続を許可することである。
【００２５】
このようになっていることで、ハンズフリー装置において、入力装置に対してユーザが個別の携帯電話に依存しない操作を行うと、未登録携帯電話機との前記ハンズフリー機能のための無線接続が許可される。したがって、無線通信可能範囲内に未登録携帯電話機が近づくと、この電話機との無線接続が行われるようになる。その結果、既登録の携帯電話機と無線接続し、この無線接続を介してハンズフリー機能を実現するハンズフリー装置において、個別の携帯電話に依存しない操作によって、未登録電話との無線接続が確立されるので、登録作業の繁雑性が低減される。
【００２６】
また、本発明の第３の特徴は、第１の距離内に近づいているあらかじめ登録された携帯電話機と無線接続し、この無線接続を介してハンズフリー機能を実現するハンズフリー装置が、未登録携帯電話が第１の距離より短い第２の距離内に近づいたことに基づいて、未登録携帯電話機とのハンズフリー機能のための無線接続を許可することである。
【００２７】
このようになっていることで、ハンズフリー装置が、未登録携帯電話が前記第１の距離より短い第２の距離内に近づいたことに基づいて、当該未登録携帯電話機とのハンズフリー機能のための無線接続を許可する。したがって、既登録の携帯電話機と無線接続し、この無線接続を介してハンズフリー機能を実現するハンズフリー装置において、第２の距離内に携帯電話機を近づけることで、未登録電話との無線接続が確立されるので、登録作業の繁雑性が低減される。
【発明を実施するための最良の形態】
【００２８】
以下、本発明の一実施形態について説明する。図１に本実施形態の電話通信システムの概念図を示す。
【００２９】
まず、車載ハンズフリー装置１が搭載された車両に、あらかじめ登録された携帯電話機２を携帯するユーザが搭乗し、その携帯電話機２が車載ハンズフリー装置１の無線通信可能範囲内に入った場合を考える。このとき、車載ハンズフリー装置１は携帯電話機２とＢｌｕｅｔｏｏｔｈによる無線接続を確立する。
【００３０】
この無線接続が確立すると、車載ハンズフリー装置１に接続している携帯電話機２は、電話通信ネットワーク３を介して電話通信相手の電話端末４からの受話音声信号を受信すると、その受話音声信号を車載ハンズフリー装置１に無線送信する。そして、車載ハンズフリー装置１は、受信した受話音声信号をスピーカによって音声として出力する。また、車載ハンズフリー装置１は、自車両に搭乗するユーザ（乗員）が発する音声をマイクによって音声信号として受け取り、この音声信号を送話音声信号として、接続している携帯電話機２に無線送信する。携帯電話機２は、この送話音声信号を受信すると、電話通信ネットワーク３を介して、電話通信相手の電話端末４宛に、この送話音声信号を送信する。このようにすることで、車載ハンズフリー装置１を用いて、携帯電話機２、電話通信ネットワーク３を介した電話端末４との通話が実現される。
【００３１】
このような作動を実現する車載ハンズフリー装置１の構成を図２に示す。車載ハンズフリー装置１は、Ｂｌｕｅｔｏｏｔｈ通信部１１、表示装置１２、入力装置１３、音声処理部１４、スピーカ１５、マイク１６、ＣＰＵ１７、フラッシュメモリ１８およびＲＡＭ１９を有している。フラッシュメモリ１８は、書き込み可能な不揮発性の記憶媒体であり、後述する接続登録データを記憶する。
【００３２】
Ｂｌｕｅｔｏｏｔｈ通信部１１は、ＣＰＵ１７の制御に基づいて、携帯電話機２等の他の携帯電話機と無線信号のやりとりを行う。具体的には、Ｂｌｕｅｔｏｏｔｈ通信部１１は、図示しないＢｌｕｅｔｏｏｔｈ用アンテナが受信した接続相手の携帯電話機からの信号に対して増幅、周波数変換、復調、Ａ／Ｄ変換等、所定のＢｌｕｅｔｏｏｔｈの無線通信プロトコルに従った処理を施し、その結果をＣＰＵ１７に出力する。またＢｌｕｅｔｏｏｔｈ通信部１１は、ＣＰＵ１７から入力されたデータに対してＤ／Ａ変換、変調、周波数変換、増幅等、所定のＢｌｕｅｔｏｏｔｈの無線通信プロトコルに従った処理を施し、その結果の信号を、接続相手の携帯電話機に送信するために、Ｂｌｕｅｔｏｏｔｈ用アンテナに出力する。
【００３３】
また、Ｂｌｕｅｔｏｏｔｈ通信部１１は、ＣＰＵ１７から電力制御信号を受けると、その電力制御信号の内容に基づいて、無線信号の送信の出力電力を変化させる。具体的には、受けた電力制御信号の内容に基づいて、出力電力を、低電力および低電力よりも高い通常電力のいずれかに切り替える。出力電力が低電力の場合は、通常電力の場合に比べて、Ｂｌｕｅｔｏｏｔｈによる無線通信の通信可能範囲が狭くなる。
【００３４】
表示装置１２は液晶ディスプレイ等から成り、ＣＰＵ１７から出力される表示データを自らの表示面に表示させる。
【００３５】
入力装置１３は、押しボタン等のメカニカルスイッチ、および表示面に重ねて設けられたタッチパネル等から成り、ユーザによるこれらの操作に基づいた信号をＣＰＵ１７に出力する。
【００３６】
音声処理部１４は、ＣＰＵ１７から入力されたデジタル音声信号をアナログ音声信号に変換してスピーカ１５に出力する。また音声処理部１４は、マイク１６から入力されたアナログ音声信号をデジタル音声信号に変換してＣＰＵ１７に出力する。
【００３７】
ＣＰＵ１７は、フラッシュメモリ１８から読み出したプログラムを実行する。そしてＣＰＵ１７は、実行するプログラム、Ｂｌｕｅｔｏｏｔｈ通信部１１からの信号、入力装置１３からの信号、音声処理部１４からのデジタル音声信号に基づいた作動を行う。そしてＣＰＵ１７は、その作動の必要に応じてＲＡＭ１９に対して情報の書き込みや読み出しを行い、Ｂｌｕｅｔｏｏｔｈ通信部１１に送信信号および電力制御信号を出力し、音声処理部１４にデジタル音声データを出力する。またＣＰＵ１７は、必要に応じてＢｌｕｅｔｏｏｔｈ通信部１１による他の携帯電話機との接続および切断の制御を行う。またＣＰＵ１７は、車両のイグニッションのオン・オフの状態を決定するＩＧ／ＡＣＣスイッチから、イグニッションがオンである旨の信号、またはオフである旨の信号を受けるようになっている。
【００３８】
このＣＰＵ１７がフラッシュメモリ１８から読み出して実行するプログラムとしては、携帯電話機登録プログラム、無線接続制御プログラム、ハンズフリー通話プログラムがある。ＣＰＵ１７は、無線接続制御プログラムを実行することで、車載ハンズフリー装置１の通信可能範囲内に登録された携帯電話機２が入ると、登録の優先度に基づいて、当該携帯電話機２との無線接続（具体的にはＢｌｕｅｔｏｏｔｈのリンク）を確立するための作動を行う。そして、車載ハンズフリー装置１が携帯電話機２と無線接続しているときに、このハンズフリー通話プログラムを実行することで、ＣＰＵ１７は以下のような作動を実現する。
【００３９】
以下、携帯電話機登録プログラムを実行するＣＰＵ１７の作動について具体的に説明する。ＣＰＵ１７は、ユーザが入力装置１３に対して携帯電話機登録プログラムを起動するための所定の操作を行うと、携帯電話機登録プログラムの実行を開始する。そしてＣＰＵ１７は、ユーザが入力装置１３に対して登録番号および優先度を入力するための操作を行うと、その入力された登録番号と優先度を関連づけてフラッシュメモリ１８に接続登録データへの追加データとして記憶させる。なお、登録番号は、登録したい携帯電話の識別情報である。また、ユーザによる優先度の入力のための操作を伴わない、登録番号だけの入力操作がある場合は、その登録番号と、フラッシュメモリ１８にあらかじめ記憶された既定の優先度とを関連づけてフラッシュメモリ１８の接続登録データに追加記憶させる。
【００４０】
次に、無線接続制御プログラムを常時実行するＣＰＵ１７の作動について具体的に説明する。ＣＰＵ１７は、携帯電話機が受け取れるよう、接続要求信号をＢｌｕｅｔｏｏｔｈ通信部１１に送信させる。携帯電話機は、当該接続要求信号を受信すると、接続応答信号を、Ｂｌｕｅｔｏｏｔｈの規格に従った無線信号として、車載ハンズフリー装置１に対して送信する。この接続応答信号には、それを送信した携帯電話の識別情報も含まれている。
【００４１】
ＣＰＵ１７は、この接続応答信号をＢｌｕｅｔｏｏｔｈ通信部１１を介して受信することで、自らの通信可能範囲内に携帯電話機が近づいたと判定する。
【００４２】
ＣＰＵ１７は、自らの通信可能範囲内に携帯電話機が近づいたと判定すると、その判定に係る接続応答信号に含まれる携帯電話機の識別情報を読み出し、この識別情報がフラッシュメモリ１８の接続登録データに含まれているか否かを判定する。
【００４３】
そして、含まれている場合は、次の（１）または（２）に示す動作を行う。
【００４４】
（１）現在無線接続を確立している携帯電話機がなければ、当該新たに通信可能範囲内に入った携帯電話機と無線接続を確立する。なお、無線接続の確立とは、携帯電話機２に着信があった場合に、車載ハンズフリー装置１を用いて当該着信に係る通話を行うことができるように、車載ハンズフリー装置１と携帯電話機２との通信状態を確立することをいう。
【００４５】
（２）現在無線接続を確立している携帯電話機があれば、フラッシュメモリ１８の接続登録データの記憶内容に基づいて、新たに通信可能範囲内に入った携帯電話機と、現在無線接続を確立している携帯電話機との優先度を比較する。そして、比較の結果、現在無線接続を確立している携帯電話機の方が優先度が高い場合、または２つの優先度が同じ場合、当該無線接続を継続する。また、比較の結果、現在無線接続を確立している携帯電話機の方が優先度が低い場合、現在の無線接続を切断し、優先度の高い方の携帯電話機との無線接続を確立する。
【００４６】
次に、ハンズフリー通話プログラムを実行するＣＰＵ１７の作動について具体的に説明する。ＣＰＵ１７は、携帯電話機との無線接続が確立している間、このハンズフリー通話プログラムを常時実行している。
【００４７】
まず、現在接続している携帯電話機２に着信があった旨の信号を、携帯電話機２が無線接続を介して送信すると、ＣＰＵ１７は、この信号および車両の乗員による入力装置１３を用いた受信許可の操作に基づいて、当該着信に係る通話を開始する旨の信号をＢｌｕｅｔｏｏｔｈ通信部１１を介して携帯電話機２に送信する。そして携帯電話機２がこの信号を受信して通話回線を確立し、その旨をＢｌｕｅｔｏｏｔｈ通信部１１を介してＣＰＵ１７に通知すると、ＣＰＵ１７はその通知を受け取り、当該通話回線を用いた当該電話端末４との通話を実現する。
【００４８】
またＣＰＵ１７は、ユーザが入力装置１３を操作することで、所定の電話番号に電話をかける旨の信号を入力装置１３から受けたときは、Ｂｌｕｅｔｏｏｔｈ通信部１１を介して当該電話番号の電話端末４を呼び出すよう携帯電話機２に通知する。そして、携帯電話機２がこの通知に応じて当該電話端末４を呼び出し、当該電話端末４との通話回線が確立した旨の通知をＢｌｕｅｔｏｏｔｈ通信部１１を介してＣＰＵ１７に送信すると、ＣＰＵ１７はその通知を受け取り、当該通話回線を用いた当該電話端末４との通話を実現する。
【００４９】
なお、ここでいう電話端末４との通話の実現とは、具体的には以下に示すようなものである。携帯電話機２が電話端末４からの受話音声信号を受信すると、その受話音声信号を車載ハンズフリー装置１に無線送信する。そして、ＣＰＵ１７は、受信した受話音声信号をデジタル音声信号として音声処理部１４に出力する。これによって、スピーカ１５から当該受話音声が出力されることになる。また、マイク１６、音声処理部１４を介してデジタル音声データとなった車両の乗員の音声信号をＣＰＵ１７が受け取り、この音声信号を送話音声信号として携帯電話機２に無線送信する。携帯電話機２は、この送話音声信号を受信すると、電話通信ネットワーク３を介して、電話通信相手の電話端末４宛に、この送話音声信号を送信する。このようにすることで、車載ハンズフリー装置１を用いて、携帯電話機２、電話通信ネットワーク３を介した電話端末４との通話が実現される。
【００５０】
また、本実施形態のＣＰＵ１７は、上記したプログラム以外に、超狭エリアモード登録プログラムを実行する。ＣＰＵ１７は、常時この超狭エリアモード登録プログラムを実行する。図３に、この超狭エリアモード登録プログラムのフローチャートを示す。以下、この図３のフローチャートに添ってこのプログラムを実行するＣＰＵ１７の作動を説明する。
【００５１】
まずステップ３１０で、入力装置１３が有する所定の押しボタンをユーザが押下している状態か否かを判定する。この所定の押しボタンを、以降超狭エリアモード操作ボタンと記す。超狭エリアモード操作ボタンの押下は、上記した登録の際の操作のように、携帯電話の識別情報の入力等を要することはないので、個別の携帯電話に依存しない操作であるといえる。
【００５２】
なお、この所定の押しボタンとしては、タッチパネルの所定の部分であってよい。その場合、所定の押しボタンの押下操作は、タッチパネルの当該所定の部分に対するタッチ操作に相当する。
【００５３】
超狭エリアモード操作ボタンが押下されている状態となるまでは、ステップ３１０の処理が繰り返され、押しボタンが押下されていると、続いてステップ３２０の処理を実行する。
【００５４】
ステップ３２０では、Ｂｌｕｅｔｏｏｔｈ通信部１１の送信電力を低電力モードにする。具体的には、Ｂｌｕｅｔｏｏｔｈ通信部１１に対して、無線信号の送信の出力電力を低電力に切り替えるための電力制御信号を出力する。
【００５５】
続いてステップ３３０では、未登録の携帯電話機との通信は可能か否か、すなわち、未登録の携帯電話機が車載ハンズフリー装置１の通信可能範囲内に入っているか否かを判定する。携帯電話機が通信可能範囲内に入っているか否は、上記した接続応答をＣＰＵ１７が受信しているか否かで特定する。また、通信可能範囲内に入っている携帯電話機が未登録か否かは、当該接続応答に含まれる携帯電話機の識別情報が、フラッシュメモリ１８の接続登録データに記憶されているか否かで特定する。
【００５６】
未登録の携帯電話機が車載ハンズフリー装置１の通信可能範囲内に入っている場合、続いてステップ３４０の処理を実行し、入っていない場合、続いてステップ３１０の処理を実行する。
【００５７】
ステップ３４０では、ステップ３３０で通信可能範囲内に入ったと判定した携帯電話機に割り当てる仮登録番号を決定し、この仮登録番号の情報を含む登録指示信号を、当該携帯電話機に送信する。
【００５８】
なお、本実施形態の携帯電話機は、この仮登録番号の情報を含む登録指示信号を受けると、当該仮登録番号を自己の識別情報として記憶媒体に記憶する。そしてこの携帯電話機は、以降この仮登録番号を記憶媒体から消去するまで、車載ハンズフリー装置１から接続要求の信号を受けると、この仮登録番号を含む接続応答信号を送信する。
【００５９】
続いてステップ３５０では、この仮登録番号を第１優先接続、すなわち最優先のものとする。具体的には、この仮登録番号と対応づけてフラッシュメモリ１８の接続登録データに記憶させる優先度を決定し、現在接続登録データに記憶させている既登録の携帯電話についての優先度の値を、この特定した優先度より低い優先度を示す値に書き換える。
【００６０】
なお、ステップ３５０では、決定する優先度として、現在接続登録データに記憶させている既登録の携帯電話の全てより優先度の高い値を採用するようになっていてもよい。
【００６１】
続いてステップ３５５では、ステップ３３０で通信可能範囲内に入ったと判定した携帯電話を仮登録する。具体的には、ステップ３４０で決定した仮登録番号に、ステップ３５０で決定した優先度を対応づけて、フラッシュメモリ１８の接続登録データに追記する。
【００６２】
続いてステップ３６０では、Ｂｌｕｅｔｏｏｔｈ通信部１１の送信電力を、通常の送信電力設定に戻す。具体的には、Ｂｌｕｅｔｏｏｔｈ通信部１１に対して、無線信号の送信の出力電力を通常電力に切り替えるための電力制御信号を出力する。
【００６３】
続いてステップ３７０では、車両のＩＧ／ＡＣＣスイッチはオフとなっている否かを、ＩＧ／ＡＣＣスイッチからの信号に基づいて判定する。オフとなっていない間は、ステップ３７０の処理を繰り返し実行し、オフとなっていると、続いてステップ３８０の処理を実行する。
【００６４】
ステップ３８０では、ステップ３３０で通信可能範囲内に入ったと判定した携帯電話の仮登録を削除する。具体的には、ステップ３５５で接続登録データに書き込んだ仮登録番号および優先度を、フラッシュメモリ１８から消去する。そして更に、この仮登録番号を消去する旨の消去示信号を、当該携帯電話機に送信する。
【００６５】
なお、本実施形態の携帯電話機は、この消去指示信号を受けると、当該消去指示信号に係る仮登録番号を記憶媒体から消去する。
【００６６】
続いてステップ３９０では、接続優先順位を元に戻す。具体的には、ステップ３５０で、既登録の携帯電話機について書き換えた優先度の値を、書き換え前の値に戻す。ステップ３９０の後、超狭エリアモード登録プログラムの実行は終了する。
【００６７】
このような超狭エリアモード登録プログラムを実行することで、ＣＰＵ１７は、超狭エリアモード操作ボタンが押され続けている間は（ステップ３１０参照）、Ｂｌｕｅｔｏｏｔｈ通信部１１の送信電力を低電力モードとする（ステップ３２０参照）。そして、ＣＰＵ１７は、超狭エリアモード操作ボタンが押され続けている間に（ステップ３１０参照）、未登録の携帯電話機が通信可能範囲内に入ると（ステップ３３０参照）、その未登録の携帯電話機の仮登録番号を決定して携帯電話機２に登録指示の通知をし（ステップ３４０参照）、更にその仮登録番号を最優先の無線接続対象とした上で（ステップ３５０参照）、当該仮登録番号を登録する（ステップ３５５参照）。
【００６８】
そして、このように、超狭エリアモード操作ボタン押下があってから最初に通信可能範囲内に入った未登録の携帯電話機についての仮登録番号による登録が行われた後、Ｂｌｕｅｔｏｏｔｈ通信部１１の送信電力を通常電力モードに戻す（ステップ３６０参照）。
【００６９】
その後、車両のＩＧ／ＡＣＣスイッチがオフとなると（ステップ３７０参照）、上記登録を消去し（ステップ３８０）、優先順位を元に戻す（ステップ３９０）。
【００７０】
以上のような、ＣＰＵ１７のプログラム実行によって登録、無線接続、ハンズフリー通話、超狭エリアモード登録を行う車載ハンズフリー装置１の典型的な作動例について説明する。
【００７１】
この車載ハンズフリー装置１の携帯電話機を相手とする作動例の時系列変化を示すシーケンス図を図４に示す。
【００７２】
まず、車載ハンズフリー装置１において、ユーザが、上記した低電力モードにおける車載ハンズフリー装置１の通信可能範囲内（例えば車載ハンズフリー装置１から３０ｃｍ以内）に未登録の携帯電話機２を近づけ、更に超狭エリアモード操作ボタンを押下したとする（ステップ４００参照）。
【００７３】
このとき、車載ハンズフリー装置１は、図３のステップ３１０およびステップ３３０で肯定と判定することで、ステップ３４０において、仮登録番号を決定して、それを含む登録指示信号を携帯電話機２に送信する（信号４０５参照）。
【００７４】
この登録指示信号を受けた携帯電話機２は、当該仮登録番号を記憶媒体に設定し、（ステップ４１０参照）、その仮登録番号を含む接続応答（通信接続許可信号に相当する）を車載ハンズフリー装置１に送信する（信号４１５参照）。
【００７５】
その後Ｂｌｕｅｔｏｏｔｈ通信部１１は、ステップ３５５、３６０で、この携帯電話機２を最優先の接続先として仮登録する（ステップ４２０参照）。
【００７６】
そしてＢｌｕｅｔｏｏｔｈ通信部１１は、無線接続制御プログラムを実行することで、この仮登録、および携帯電話機２からの接続応答に基づいて、携帯電話機２とのＢｌｕｅｔｏｏｔｈの無線接続を確立する処理を行う。なお、この無線接続の処理において、車載ハンズフリー装置１と携帯電話機２とは必要な情報の送受信を複数回行う（信号４２０参照）。
【００７７】
その後、携帯電話機２に着信があると（ステップ４２５参照）、携帯電話機２は着信した旨の情報を、無線接続を介して車載ハンズフリー装置１に送信する（信号４３０参照）。
【００７８】
車載ハンズフリー装置１は、ハンズフリー通話プログラムの実行において、この着信した旨の情報の受信に基づいて、ハンズフリー通話を開始し（ステップ４３５参照）、そのハンズフリー通話において、Ｂｌｕｅｔｏｏｔｈの無線接続を介して、携帯電話機２と通話音声データの授受を行う（信号４４０参照）。
【００７９】
ここで、ハンズフリー通話中に、車両のエンジンをかけたままユーザが携帯電話機２を携帯して降車したとする。この場合、携帯電話機２が車載ハンズフリー装置１の通信可能範囲、すなわち、通常電力モードにおける車載ハンズフリー装置１からの送信電波の実質的到達範囲、から離れる。このとき、携帯電話機２では、ハンズフリー通信が中断し、携帯電話機２が単独で通話を維持する（ステップ４４５参照）。
【００８０】
その後、ユーザが通話を行ったまま車両内に戻ったとする。このとき、車載ハンズフリー装置１は、携帯電話機２が最優先の通信相手のままなので、携帯電話機２からの接続応答に基づいて、無線接続制御プログラムの実行による無線接続を再度行い、そのための信号を携帯電話機２とやりとりする（信号４５０参照）。
【００８１】
そして、無線接続が確立すると、車載ハンズフリー装置１はハンズフリー通話プログラムの実行に基づいて、ハンズフリー通話を再開する（ステップ４５５参照）。
【００８２】
その後、ユーザが車両のＩＧ／ＡＣＣスイッチをオフにしたとする（ステップ４６０参照）。すると、車載ハンズフリー装置１は、ステップ３８０の処理によって携帯電話機２に仮登録番号の消去指示信号を送信し（信号４６５参照）、またフラッシュメモリ１８の接続登録データから当該仮登録番号を消去する（ステップ４７０参照）。
【００８３】
そして消去指示信号を受けた携帯電話機２でも、この仮登録番号を記憶媒体から消去する（ステップ４７５参照）。
【００８４】
以上の説明したように、無線通信可能範囲内に近づいた既登録の携帯電話機と無線接続し、この無線接続を介してハンズフリー機能を実現するハンズフリー装置１が、個別の携帯電話に依存しないユーザの操作である超狭エリアモード操作ボタンの押下されている間、無線通信のための出力電力を減少させ、また、当該ボタンの押下がある間に、電力低下により狭くなった無線通信範囲内に最初に近づいた未登録携帯電話機のみとのハンズフリー機能のための無線接続を、仮登録番号の登録によって許可する。したがって、個別の携帯電話に依存しない操作によって、未登録電話との無線接続が確立されるので、登録作業の繁雑性が低減される。
【００８５】
また車載ハンズフリー装置１は、通常電力モードにおける通信可能範囲内に近づいているあらかじめ登録された携帯電話機と無線接続し、この無線接続を介してハンズフリー機能を実現するハンズフリー装置であって、当該未登録携帯電話が低電力モードにおける通信可能範囲内に近づいたことに基づいて、未登録携帯電話機とのハンズフリー機能のための無線接続を許可するようになっているともいえる。
【００８６】
また車載ハンズフリー装置１は、入力装置が上記ボタンの押下操作を受け付けることに基づいて、仮登録番号が登録された携帯電話機を、他の既登録の携帯電話機よりも優先的な無線接続対象とすることにより、未登録携帯電話機とのハンズフリー機能のための無線接続を、他の既登録の携帯電話機との前記ハンズフリー機能のための無線接続よりも優先的なものとする。
【００８７】
なお、上記した実施形態においては、ＣＰＵ１７が、図３のステップ３２０および３６０を実行することで、電力制御手段として機能する。
【００８８】
また、ＣＰＵ１７が、図３のステップ３４０および３５５を実行することで、許可手段として機能する。
【００８９】
また、ＣＰＵ１７が、図３のステップ３５０の処理を実行することで、優先制御手段として機能する。
【００９０】
また、通常電力モードにおける車載ハンズフリー装置１の通信可能範囲が第１の距離に相当し、低電力モードにおける車載ハンズフリー装置１の通信可能範囲が第２の距離に相当する。
【００９１】
なお、上記した実施形態では、車載ハンズフリー装置１は、未登録携帯電話機のうち、超狭エリアモード操作ボタンが押されて以降最初に通信可能範囲内に入った携帯電話のみに対して、仮登録を行って、無線接続を許可しているが、必ずしもこのようになっておらずともよい。例えば、通信可能範囲内に入った複数の未登録携帯電話に対して、無線接続を許可してもよい。
【００９２】
また、上記した実施形態では、車載ハンズフリー装置１は、仮登録することによって無線接続を許可した携帯電話機との無線接続が切れた後も、車両のイグニッションがオフとなるまでその仮登録を削除しないが、必ずしもこのようになっておらずともよい。例えば、車載ハンズフリー装置１は、仮登録することによって無線接続を許可した携帯電話機との無線接続が切れたとき、当該仮登録を削除することで、許可した携帯電話機とのハンズフリー機能のための無線接続を禁止するようになっていてもよい。
【図面の簡単な説明】
【００９３】
【図１】本発明の実施形態に係る電話通信システムの概念図である。
【図２】車載ハンズフリー装置１の構成を示すブロック図である。
【図３】超狭エリアモード登録プログラムのフローチャートである。
【図４】車載ハンズフリー装置１の携帯電話機を相手とする作動例の時系列変化を示すシーケンス図である。
【符号の説明】
【００９４】
１…車載ハンズフリー装置、２…携帯電話機、３…電話通信ネットワーク、
４…電話端末、１１…Ｂｌｕｅｔｏｏｔｈ通信部、１２…表示装置、１３…入力装置、
１４…音声処理部、１５…スピーカ、１６…マイク、１７…ＣＰＵ、
１８…フラッシュメモリ、１９…ＲＡＭ。
【図１】
2005286827.tif 000003
【図２】
2005286827.tif 000004
【図３】
2005286827.tif 000005
【図４】
2005286827.tif 000006